(57)【要約】電気照明装置の集成部品と、その封着方法を開示する。集成部品は、電極リード線などの部品とソルダーガラスプリフォームとを有する。集成部品は、例えば、電気リード線および排気管状部などのランプ部品を蛍光体コーティングが既に施されている低圧蛍光放電ランプに気密に封着および固定するのに有用である。本発明は、０〜３００℃で３０〜４５×１０−７℃−１の範囲のＣＴＥを有するホウケイ酸ガラスでつくられたランプ外囲器に特に適している。
2006513531.tif 000002
【特許請求の範囲】
【請求項１】
部品を照明装置のランプ外囲器に気密に封着および固定するための集成部品であって、ランプ外囲器に封着されるべき部品と、前記ガラスランプ外囲器に気密に封着および固定されるべき前記部品の一部を囲んで接合されるソルダーガラスプリフォームとを備える集成部品であり、
前記ランプ外囲器が０〜３００℃で３０〜４５×１０−７℃−１の範囲のＣＴＥ Ｃ１を有するホウケイ酸ガラスでつくられ、前記ソルダーガラスが、５００℃をこえる封着前軟化点Ｔｓおよび０〜３００℃でＣ１±１０×１０−７℃−１の封着後ＣＴＥ Ｃ２を有し、その封着前軟化点Ｔｓをこえる温度に加熱されると部品とランプ外囲器との気密封着を形成することができることを特徴とする集成部品。
【請求項２】
前記ソルダーガラスプリフォームが、ＣｕＯおよび／またはＦｅ２Ｏ３を含有するＢ２Ｏ３-ＳｉＯ２-ＰｂＯ-ＺｎＯガラスから実質的になる失透性ソルダーガラスで形成され、前記失透性ソルダーガラスが、５５０〜７００℃の範囲の封着前軟化点と、０〜３００℃で３２〜４０×１０−７℃−１の封着後ＣＴＥ Ｃ２と、６３０〜７５０℃の範囲の失透温度Ｔｄとを有することを特徴とする請求項１に記載の集成部品。
【請求項３】
前記ソルダーガラスプリフォームが、酸化物基準の重量％で、０〜２％のＡｌ２Ｏ３、１５〜２５％のＢ２Ｏ３、１〜５％のＣｕＯ、０〜５％のＦｅ２Ｏ３、０〜７％のＰｂＯ、１０〜１６％のＳｉＯ２および５５〜６５％のＺｎＯから実質的になるソルダーガラスで形成され、前記ソルダーガラスが６００〜６５０℃の範囲の封着前軟化点と、０〜３００℃で３４〜３８×１０−７℃−１の封着後ＣＴＥ Ｃ２と、６５０〜７００℃の範囲の失透温度Ｔｄとを有することを特徴とする請求項２に記載の集成部品。
【請求項４】
前記ソルダーガラスプリフォームに包囲される前記集成部品が、
（ｉ）内部リード線と外部リード線と中間リード線で構成され、前記中間リード線がガラスビードによって気密封着されて包囲されている、ビード付電極リード線、または、
（ｉｉ）Ｃ１±１０×１０−７℃−１の範囲のＣＴＥ Ｃ３を有するホウケイ酸ガラス管状部、
を備えていることを特徴とする請求項１に記載の集成部品。
【請求項５】
前記ソルダーガラスプリフォームが前記ソルダーガラスプリフォームの前記封着前軟化温度Ｔｓより低い温度での焼結によって前記ビード付リード線の前記ソルダーガラスビードまたは前記ガラス管状部に接合されることを特徴とする請求項４に記載の集成部品。
【請求項６】
前記リード線または前記ガラス管状部を包囲するソルダーガラスプリフォームが、前記集成部品を前記ランプ外囲器に封着および固定すべきときに通す前記ランプ外囲器の前記孔に直接に受け入れられるかまたは前記孔を覆うことができる一様な形状を有することを特徴とする請求項４に記載の集成部品。
【請求項７】
前記リード線または前記ガラス管状部を包囲する前記ソルダーガラスプリフォームが異なる断面寸法を有する２つの一体化された部分Ｐ１およびＰ２からなり、前記部分Ｐ１は、前記集成部品を封着および固定すべきときに通す前記ランプ外囲器の前記孔に受け入れられることが可能な、より小さな断面寸法を有し、前記部分Ｐ２は、前記部分Ｐ１が前記孔に挿入されて受け入れられたときに前記孔を覆うことができる、より大きな断面寸法を有することを特徴とする請求項４に記載の集成部品。
【請求項８】
前記ソルダーガラスプリフォームに包囲される前記部品がホウケイ酸ガラス管状部であり、前記ガラス管状部が前記ガラス管状部内部に配置されたビード付電極リード線をさらに有し、前記ビード付リード線および前記ガラス管状部が、前記ガラス管状部の前加熱または後加熱時に、前記集成部品が封着および固定されるべき前記ガラス外囲器を実質的に加熱することなく、前記ビード付リード線と前記ガラス管状部の間に気密封着が行われ得るように選ばれて配置されることを特徴とする請求項４から７のいずれか１項に記載の集成部品。
【請求項９】
照明装置のランプ外囲器に部品を機密封着する方法であって、
（ｉ） ガラスランプ外囲器に封着されるべき部品と、前記ガラスランプ外囲器に気密に封着および固定されるべき部品の一部を囲んで接合される赤外線吸収性ソルダーガラスプリフォームとを有する集成部品を提供する工程であって、前記プリフォームのソルダーガラスが、５００℃をこえる封着前軟化点Ｔｓと、０〜３００℃でＣ１±１０×１０−７℃−１の封着後ＣＴＥ Ｃ２とを有し、前記封着前軟化点Ｔｓをこえる温度に加熱されると前記ランプ外囲器と前記部品との気密封着を形成することができる工程と、
（ｉｉ） 前記集成部品を前記ランプ外囲器に封着および固定すべきときに通す前記ランプ外囲器の前記孔に前記集成部品を取り付ける工程と、
（ｉｉｉ） 気密封着を実施するために、前記ソルダーガラスプリフォームを前記ソルダーガラスの封着前軟化点Ｔｓより高い温度まで局所的に加熱する工程と
を有してなる方法。
【請求項１０】
前記ガラス外囲器が０〜３００℃で３０〜４５×１０−７℃−１の範囲のＣＴＥ Ｃ１を有するホウケイ酸ガラスでつくられ、前記ガラス外囲器への前記集成部品の封着の前に前記ガラス外囲器に蛍光体コーティングが施されていることを特徴とする請求項９に記載の方法。
【請求項１１】
前記ソルダーガラスプリフォームが、ＣｕＯおよび／またはＦｅ２Ｏ３を含有するＢ２Ｏ３-ＳｉＯ２-ＰｂＯ-ＺｎＯガラスから実質的になる失透性ソルダーガラスで形成され、前記失透性ソルダーガラスが、５５０〜７００℃の範囲の封着前軟化点と、０〜３００℃で３２〜４０×１０−７℃−１の封着後ＣＴＥ Ｃ２と、６３０〜７５０℃の範囲の失透温度Ｔｄとを有することを特徴とする請求項１０に記載の方法。
【請求項１２】
前記ソルダーガラスプリフォームが、酸化物基準の重量％で、０〜２％のＡｌ２Ｏ３、１５〜２５％のＢ２Ｏ３、１〜５％のＣｕＯ、０〜５％のＦｅ２Ｏ３、０〜７％のＰｂＯ、１０〜１６％のＳｉＯ２および５５〜６５％のＺｎＯから実質的になるソルダーガラスで形成され、前記ソルダーガラスが６００〜６５０℃の範囲の封着前軟化点と、０〜３００℃で３４〜３８×１０−７℃−１の封着後ＣＴＥ Ｃ２と、６５０〜７００℃の範囲の失透温度Ｔｄとを有することを特徴とする請求項１１に記載の方法。
【請求項１３】
前記ガラス外囲器に封着および固定されるべき前記部品が、
（ｉ）内部リード線と外部リード線と中間リード線で構成され、前記中間リード線がガラスビードで気密封着されて前記ガラスビードに包囲されているビード付電極リード線、または、
（ｉｉ）Ｃ１±１０×１０−７℃−１の範囲のＣＴＥ Ｃ３を有するホウケイ酸ガラス管状部、
を有することを特徴とする請求項９に記載の方法。
【請求項１４】
前記ビード付リード線の前記ソルダーガラスビードまたは前記ガラス管状部が前記ソルダーガラスプリフォームの前記封着前軟化温度Ｔｓより低い温度での焼結によって前記ソルダーガラスプリフォームに接合および装着されることを特徴とする請求項１３に記載の方法。
【請求項１５】
前記リード線を囲む前記ソルダーガラスプリフォームまたは前記ガラス管状部が異なる断面寸法を有する２つの一体化された部分Ｐ１およびＰ２からなり、前記部分Ｐ１は、前記集成部品を封着および固定すべきときに通す前記ランプ外囲器の前記孔に受け入れられることが可能な、より小さな断面寸法を有し、前記部分Ｐ２は、前記部分Ｐ１が前記孔に挿入されて受け入れられたときに前記孔を覆うことができる、より大きな断面寸法を有することを特徴とする請求項９に記載の方法。
【発明の詳細な説明】
【技術分野】
【０００１】
本発明は、電気照明装置のガラス外囲器に気密に封着および固定できる集成部品ならびにそれを封着する方法に関する。特に、本発明は、ソルダーガラスプリフォームおよびランプ部品を含み、蛍光体コーティングが既に施されている低圧蛍光放電ランプに気密に封着および固定できる集成部品、ならびにそれを封着する方法に関する。本発明は、例えば、電気リード線および排気管状部などのランプ部品を蛍光体コーティングが既に施されている低圧蛍光放電ランプに気密に封着および固定するために有用である。
【背景技術】
【０００２】
白熱電球、蛍光灯、高輝度放電ランプおよびハロゲンランプを含む電気照明装置および陰極線管は、通常、気密封止されたガラス外囲器を有する。ガラス外囲器には、電極、白熱フィラメント、排気管およびその他の部品が気密に封着および固定される。電極および白熱フィラメントは一般にガラス外囲器内に収められる。電極のリード線はガラス外囲器に気密に封着する必要がある。ガラス−金属封着を行うために、通常、これらの照明装置の多くにビード付リードが使用されている。図１は、ニッケルまたはタングステンの内部リード１３、ニッケルの撚線外部リード１１およびタングステンの中間リード１５という３つの部品からなる、従来のビード付リードの構成を簡略に示す。ガラスビード１７が中間タングステンリードを覆って気密封着されている。ホウケイ酸ガラス製ランプの応用例の場合、一般にビードは同じようにホウケイ酸ガラスである。従来、ビードをガラス外囲器へ封着する際には火炎バーナー技術が使用される。２つのガラス部品を一緒に軟化させ、融着し、気密封止を形成するのに必要な熱がバーナーによって供給される。ガラスとガラスを接触させることにより、電気的貫通接続が照明装置内で十分に気密であることが保証される。
【０００３】
一般的な蛍光灯は封入された放電チャネルを有するガラス外囲器を備えている。放電チャネルの内部には、電極、水銀、ゲッター、蛍光体コーティングおよび不活性ガスが入れられる。電気エネルギーで励起された、チャネル内部に封入されている不活性ガスおよび／または水銀蒸気は、紫外光を少量の可視光とともに放射する。通常ミクロンレベルの大きさである蛍光体粒子が、蛍光と称される機構により紫外光を可視光に変換する。他の照明用途でそうであるように、ガラスランプ外囲器の外側には排気管が封着される。最近、特にＬＣＤディスプレイなどの情報ディスプレイおよび照明源を必要とするその他のディスプレイのためのバックライトユニット用に新世代の蛍光灯が開発された。これらのランプの特徴は渦巻き状の放電チャネルが内部に封入された平面構造である。優れた照明効率および引き立つ色を達成するため、これらのランプの外囲器の放電チャネル内壁には一般に三波長域発光形希土類蛍光体が塗布される。他の蛍光照明装置のように、ゲッター、電極、水銀および不活性ガスならびに排気管がガラス外囲器で気密封止される。そのようなフラットパネルランプ外囲器を作成する方法が特許文献１に開示されている。その方法にしたがって作成されるガラス外囲器は一体型構造を有する。すなわち、フェースプレートとバックプレートが封着し合されて、回旋型チャネルを有する一体型ランプ本体を形成する。多くの応用例、特に、ノートパソコン、ハンドヘルドコンピュータ等といった携帯型装置の応用例の要件を満たすため、軽量フラットパネルバックライトユニットがつくられてきた。これらのランプ外囲器は、壁厚が実に１ｍｍ未満であることが多い、非常に薄い基板を有することがある。
【０００４】
これらのフラットパネルランプ外囲器、特に特許文献１において作成される一体型ランプ外囲器の場合、一般に、蛍光体コーティングが施された後に、電極、ゲッターおよび排気管がランプ外囲器で封止される。ランプ外囲器への電極、排気管および他の部品の気密封止は難題であることが分かっている。従来の照明装置に適する火炎封着技術を従来の方法でこれら応用例に直接用いることは、不可能ではないとしても困難であることが判明している。第１に、バーナー炎で生成される過剰な熱がガラス外囲器を軟化させ、その結果、薄いガラス壁を垂下させて変形を生じさせる。蛇行チャネル構造は、ガラス厚１ｍｍ未満のことが多い平坦表面上で封止される必要がある。可能ではあるが、平坦表面上へのガラス部品の火炎加工は一般に封止領域の変形を生じ、その後、ランプの総厚および機械的強度に影響を及ぼす。第２に、大面積および複雑な幾何学的構造を備えたこれらのランプ外囲器は温度差に非常に敏感である。火炎封着にともなう温度差はランプ外囲器に容易にクラックを生じさせ得る。第３に、蛍光体コーティング、ゲッターおよび電極は高温に敏感である。蛍光体コーティングが６００℃をこえる温度にさらされると、その機能が大きく低下し、光出力およびその後の寿命が低下する。チャネルの排気および気密封止前にゲッターが高温にさらされると、ゲッターは早期活性化し、チャネル内の大気と反応し、したがってその目的の機能を失う。通常、電極鐘（ｅｌｅｃｔｒｏｄｅ  ｂｅｌｌｓ）の外表面は特殊な電子放出コーティング材料層で被覆される。高温に加熱されると、同様にコーティングが損なわれるかまたは悪影響を受けるであろう。従来の態様で直接火炎封着技術を用いると、通常は封着領域から遠くはない場所に位置する、蛍光体、ゲッターおよび電極の加熱を避けられないことが多い。したがって、いくつかの当然の結果として、例えば、ランプ部品の破損または劣化、ランプの機能障害または短寿命化、およびランプ照度一様性の低下がもたらされる。第４に、多くのランプ応用例において、封止されるべき孔がビード付リード線上のソルダーガラスビードよりはるかに大きく、不可能ではないにせよ、従来の火炎封着技術を用いるビード付リード線のガラス外囲器への直接封着を難しくしている。最後に、バーナー炎を用いることにより、ランプ照度、照度一様性およびランプ寿命に有害な炭化水素などの望ましくない不純物がランプ放電チャネル内に入り込む可能性がある。
【０００５】
したがって、重要かつ敏感なランプ部品に影響を及ぼさずに電極リードおよび管状部などのランプ部品の気密封着および固定を実施するために局所加熱を用いることができる、従来の直接火炎封着技術に代わる新たなフラットパネルランプ封着法が真に必要とされている。
【０００６】
ガラス−ガラスまたはガラス−金属封着を達成するためにソルダーガラスが用いられてきた。ソルダーガラスはガラス質または失透性であって差支えない。ガラス質ソルダーガラスは封着後もガラス状態を維持する。ガラス質ソルダーガラスは、溶融されるたびに同じ温度で溶融および流動する熱可塑性材料である。一般にフリットと呼ばれる失透性ソルダーガラスは熱硬化性である。これは、封着後はもはやガラス状態にはないが、ガラス相と結晶相の両方を含むことを意味する、その熱硬化特性のため、失透性ソルダーガラスはガラス質ソルダーガラスに対して多くの利点を有し多くの用途で好まれる。結晶化すると、失透性ソルダーガラスは、ガラス質前駆体および相当品の約２.１〜３.５×１０−６ｍｇ・ｍ−２と比較して、より高い約４.２〜５.６×１０−６ｋｇ・ｍ−２の破壊係数を有する。また、失透したフリットの軟化点は基本的にガラス質前駆体の初期軟化点より上まで高くなる。総合効果として、高温でより強固かつより安定な封着となる。
【０００７】
ソルダーガラスにより、気密封着を実施するための局所加熱を使用することが可能となる。さらに、ソルダーガラスはビード付リード線のビードおよび排気管などの管状部等の部品と、この部品が気密封着されるべき、より大きな孔の周囲との間の空隙を埋めるために用いることができる。したがって、ソルダーガラスはフラットパネルランプの封着において魅力的である。
【０００８】
電気ランプはその動作中に熱を発生するので、ガラス外囲器を製作するには低膨張ガラスを使用することが望ましい。フラットパネルランプ外囲器を含む照明装置には、０〜３００℃で３０〜４５×１０−７℃−１の範囲の熱膨張係数（ＣＴＥ）を有するホウケイ酸ガラスが用いられてきた。しかしながら、ランプ部品をホウケイ酸ガラスランプ外囲器と封着するのに適したソルダーガラスを見いだすことは困難であることが分かっている。
【特許文献１】米国特許第６３０１９３２号明細書
【特許文献２】米国特許第４２３８７０４号明細書
【特許文献３】米国特許第３１２７２７８号明細書
【特許文献４】米国特許第３９７５１７６号明細書
【特許文献５】米国特許第３０８８８３４号明細書
【発明の開示】
【発明が解決しようとする課題】
【０００９】
本発明は、ソルダーガラスプリフォームと、封着されるべき部品とを備える集成部品を提供することによって、上で略述した問題に対処する。
【課題を解決するための手段】
【００１０】
そこで、第１の態様において、本発明は、部品を照明装置のランプ外囲器に気密に封着および固定するための集成部品を提供する。集成部品は、ランプ外囲器に封着されるべき部品と、ガラスランプ外囲器に気密に封着および固定されるべき部品の一部を囲んで接合されるソルダーガラスプリフォームとを備え、ランプ外囲器が０〜３００℃で３０〜４５×１０−７℃−１の範囲のＣＴＥ Ｃ１を有するホウケイ酸ガラスでつくられ、ソルダーガラスが、５００℃をこえる封着前軟化点Ｔｓおよび０〜３００℃でＣ１±１０×１０−７℃−１の封着後ＣＴＥ Ｃ２を有し、その封着前軟化点Ｔｓをこえる温度に加熱されると部品とランプ外囲器との気密封着を形成することができる。
【００１１】
第２の態様において、本発明は、本発明の集成部品を使用することによって部品をガラスランプ外囲器に封着および固定する方法を提供する。
【００１２】
本発明の集成部品のソルダーガラスプリフォームは、ＣｕＯおよび／またはＦｅ２Ｏ３を含有するＢ２Ｏ３−ＳｉＯ２−ＰｂＯ−ＺｎＯガラスから実質的になる失透性ソルダーガラスで形成され、この失透性ソルダーガラスが、５５０〜７００℃の範囲の封着前軟化点と、０〜３００℃で３２〜４０×１０−７℃−１の封着後ＣＴＥ Ｃ２と、６３０〜７５０℃の範囲の失透温度Ｔｄとを有することが好ましい。本発明の集成部品におけるソルダーガラスプリフォームは、バッチから計算される酸化物基準の重量％で、０〜２％のＡｌ２Ｏ３、１５〜２５％のＢ２Ｏ３、１〜５％のＣｕＯ、０〜５％のＦｅ２Ｏ３、０〜７％のＰｂＯ、１０〜１６％のＳｉＯ２および５５〜６５％のＺｎＯから実質的になるソルダーガラスで形成され、このソルダーガラスが、５５０〜７００℃、好ましくは６００〜６５０℃の範囲の封着前軟化点と、０〜３００℃で３２〜４０×１０−７℃−１、好ましくは３４〜３８×１０−７℃−１の封着後ＣＴＥ Ｃ２と、６３０〜７５０℃、好ましくは６５０〜７００℃の範囲の失透温度Ｔｄとを有することがさらに好ましい。
【００１３】
本発明の好ましい一実施形態によれば、ガラス外囲器に気密に封着および固定されるべき部品はビード付電極リード線である。ビード付リード線は、外部リード線、内部リード線および中間リード線を有することが好ましく、中間リード線にソルダーガラスビードが気密封着されることが好ましい。
【００１４】
本発明の別の好ましい実施形態によれば、ガラス外囲器に気密に封着および固定されるべき部品は、ガラス外囲器と同様のＣＴＥを有するガラス管状部である。管状部はガラス外囲器の排気管であってもよい。あるいは、本発明の一実施形態によれば、ビード付電極リード線を管状部内部に配置でき、後加熱時に管状部とビードの間の気密封着を形成できる。
【００１５】
本発明の一実施形態において、本発明の集成部品のソルダーガラスプリフォームは、部品を封着および固定するときに通すべきガラス外囲器の孔に受け入れられるか、または孔を覆うことができる形状を有する。
【００１６】
本発明の好ましい一実施形態において、ソルダーガラスプリフォームは一体化された２つの部分Ｐ１とＰ２からなるシングル段差構造を有し、Ｐ１はＰ２より小さい断面寸法を有し、部品をランプ外囲器に封着および固定するときに通すべき孔に受け入れられることができ、Ｐ２は、Ｐ１が孔に挿入されて孔に受け入れられたときに孔を覆うことができる、より大きな断面寸法を有する。
【００１７】
本発明の集成部品のソルダーガラスプリフォームを局所式に加熱することにより、部品とガラス外囲器の間の気密封着を隣接ランプ領域に実質的な温度上昇を生じさせることなく短時間で実施することができ、よって、起こり得るランプ外囲器の変形、蛍光体コーティング、ゲッターおよび電極の損壊が回避される。本発明は、高温に敏感で従来の火炎封着技術を使用できないフラットパネルランプ外囲器、例えば蛍光体コーティングが既に施されているフラットパネルランプ外囲器の封着に特に適している。
【００１８】
本発明の別の特徴および利点を以下の詳細な説明に記載するが、当業者には、説明からすぐにある程度明らかとなり、または記載された本発明の説明および特許請求の範囲ならびに添付図面に示されるように本発明を実施することによって理解されるであろう。
【００１９】
以上の全般的な説明および以下の詳細な説明ならびに図面は本発明を例示するものに過ぎず、特許請求される本発明の性質と特徴を理解するための概要すなわち枠組を提供することを目的とするものであると理解すべきである。
【００２０】
添付図面は、本発明の理解を深めさせるために含まれており、この明細書に組み込まれ、この明細書の一部を構成している。
【発明を実施するための最良の形態】
【００２１】
本発明の目的のため、「集成部品」とは、（ｉ）ガラスランプ外囲器に封着および固定されるべき、電極リード線、管状部等の電気ランプ部品と、（ｉｉ）ソルダーガラスプリフォームとを有する集成体を意味する。ランプ外囲器に気密に封着および固定されると、部品はランプ外囲器の機能構造部となる。
【００２２】
上述したように、電極リード、ゲッター、排気管およびその他のランプ部品をフラットパネルランプ外囲器、特に蛍光体コーティングが既に施されているフラットパネルランプ外囲器、に気密封着することは困難であることが分かっている。白熱電球および管状蛍光灯など、より簡素なランプ外囲器構造の場合、図１に示されるビード付リード線または排気管状部をガラス外囲器に気密封着するために従来の火炎封着法を適宜使用できる。しかし、上で詳述した理由のため、直接火炎封着を同様の態様でフラットパネルランプの気密封着に適用することは、不可能ではないにしても、困難であることが分かっている。最近、フラットパネルランプ外囲器の新しい作成方法が特許文献１に開示された。この方法にしたがって作成されるランプ外囲器の一体構造を備え、すなわち、フェースプレートおよびバックプレートは内部に回旋型放電チャネルを囲んだ一部品に形成される。このランプ構造の場合、電極、ゲッターおよび排気用管状部を封着する前に、蛍光体コーティングを放電チャネル内壁上に施す必要がある。蛍光体コーティングを施すため、ならびに電極および排気用管状部を封着および固定するためのガラスランプ外囲器の孔は、一般にビード付リード線のソルダーガラスビードより大きい。この一体型ガラスランプ外囲器への電極および排気用管状部の気密封着を、ランプ体を変形させたり、ゲッターおよび電極部品を含む重要ランプ部品ならびに６００℃超の温度に非常に敏感な三波長域発光形希土類蛍光体で通常形成される蛍光体コーティングを損なったり、またはそうでないとしても悪影響を及ぼしたりすることなく実施することは特に困難であることが分かっている。
【００２３】
電気ランプはその正常動作中に熱を発生する。したがって、ランプ用途にはホウケイ酸ガラスなどの低膨張ガラスが使用されてきた。
【００２４】
本発明の発明者らは、ソルダーガラスプリフォームおよびランプ外囲器に封着および固定されるべきランプ部品を含む新たな集成部品を開発した。本発明の集成部品は、主としてソルダーガラスプリフォームに向けられる局所加熱を用いることによって、蛍光体が既に塗布されているホウケイ酸ガラス外囲器の気密封着ならびに電極リード線および排気用管状部などのランプ部品の固着に適宜使用できる。
【００２５】
ソルダーガラスは多年にわたりガラス−ガラス封着およびガラス−金属封着を実現するために用いられてきた。例えば、特許文献２、特許文献３、特許文献４、および特許文献５はいずれもガラス部品を接合して複合ガラス体を形成するためソルダーガラスの組成を開示している。しかし、これらの参照文献に開示されるソルダーガラスおよび／またはソルダーガラスの使用方法では、フラットパネル蛍光放電ランプ、特に蛍光体コーティングが既に施されているフラットパネル蛍光放電ランプ、に要求される厳密な加熱条件が満たされず、要求される封着条件下で気密封着が形成されることもない。ある用途に適した正しいソルダーガラスの選択には、多くの技術的要因を考慮する必要がある。まず第１に、用途の動作時温度範囲で、封着されるべき部品とソルダーガラスのＣＴＥが一致するべきである。すなわち、ＣＴＥ差が大きすぎてはならない。第２に、気密性が要求される場合に、封着温度に加熱されたときのソルダーガラスのレオロジーが厳重な気密封着を実施できるように、封着されるべき部品およびソルダーガラスの組成が適合する必要がある。第３に、赤外線などの特殊な加熱源が用いられる場合には、ソルダーガラスを適切な速度で局所加熱できることも重要である。全てのソルダーガラスが同じ赤外線吸収力を有するとは限らない。
【００２６】
本発明の集成部品は、ランプ外囲器に封着されるべき電極リード線などの部品と、ガラスランプ外囲器に気密に封着および固定されるべき部品の一部を囲んで接合されるソルダーガラスプリフォームとを含む。ランプ集成部品は、３０〜４５×１０−７℃−１の範囲のＣＴＥ Ｃ１を有するホウケイ酸ガラスでつくられたランプ外囲器に特に適している。しかしながら、本発明のランプ集成部品および封着方法は異なるガラス組成を有するランプ外囲器にも適用できることに注意すべきである。封着されるべき部品を包囲するソルダープリフォームは、Ｃ１±１０×１０−７℃−１の範囲の封着後ＣＴＥ Ｃ２を有し、その封着前軟化点Ｔｓをこえる温度に加熱された後に気密封着を形成できる。
【００２７】
本発明にしたがうプリフォームのソルダーガラスは、ガラス質ソルダーガラスとすることも、失透性ソルダーガラスとすることもできる。ガラス質ソルダーガラスは封着後もガラス状態を維持する。その封着前軟化温度Ｔｓと封着後軟化温度Ｔｓ'は、軟化および封着方法中の相変化がないので実質的に同じである。しかしながら、失透性ソルダーガラスは軟化および封着方法中に少なくともある程度の相変化を受け、その結果、元のガラス相内に結晶相を生じる。したがって、失透性ソルダーガラスに対する封着後軟化温度Ｔｓ'はその封着前軟化温度Ｔｓより高い。ソルダーガラスがガラス質であるか失透性であるかにかかわらず、ランプ部品とランプ外囲器の間に良好な気密封着を生じさせるために、その封着温度はその封着前軟化点Ｔｓより高くなければならない。一般に、失透性ソルダーガラスが用いられる場合には、良好で耐久性のある封着を得るために、その失透温度Ｔｄより高い温度に加熱される。
【００２８】
３０〜４５×１０−７℃−１の範囲のＣＴＥ Ｃ１を有するホウケイ酸ガラス外囲器の場合、本発明の方法で使用される集成部品のプリフォームの好ましいソルダーガラスは、ＣｕＯおよび／またはＦｅ２Ｏ３を含有し、５５０〜７００℃の範囲の封着前軟化点Ｔｓと、０〜３００℃で３２〜４０×１０−７℃−１の封着後ＣＴＥ  Ｃ２と、６３０〜７５０℃の範囲の失透温度Ｔｄとを有する、失透性のＢ２Ｏ３−ＳｉＯ２−ＰｂＯ−ＺｎＯソルダーガラスから実質的に成る。さらに好ましくは、本発明の集成部品のプリフォームのソルダーガラスは、バッチ材料から計算される酸化物基準の重量％で表して、０〜２％のＡｌ２Ｏ３、１５〜２５％のＢ２Ｏ３、−１〜５％のＣｕＯ、０〜５％のＦｅ２Ｏ３、０〜７％のＰｂＯ、１０〜１６％のＳｉＯ２および５５〜６５％のＺｎＯから実質的になり、５５０〜７００℃、好ましくは６００〜６５０℃の範囲の封着前軟化温度ＴＳと、０〜３００℃で３２〜４０×１０−７℃−１、好ましくは３４〜３８×１０−７℃−１の封着後ＣＴＥ Ｃ２と、６３０〜７５０℃、好ましくは６５０〜７００℃の範囲の失透温度とを有する。これらのソルダーガラスにより、ランプ外囲器の基板ガラスとのＣＴＥの一致が保証される。さらに、その失透温度より高い温度まで加熱されたときのソルダーガラスのレオロジーおよびランプ外囲器の基板ガラスとの組成適合性により、封着されるべき部品とガラスランプ外囲器との間の気密封着の形成が可能になる。驚くべきことに、これらのソルダーガラスは強力な赤外線吸収力を備え、これにより、赤外線を使用する局所加熱の候補となる。
【００２９】
ガラス外囲器のためのホウケイ酸ガラスの非限定的例は、バッチ材料から計算される酸化物基準の重量％で表して、７７.４％のＳｉＯ２、１５.４％のＢ２Ｏ３、１.９％のＡｌ２Ｏ３および５.３％のＮａ２Ｏからなり、０〜３００℃でほぼ３８×１０−７℃−１のＣＴＥを有する。
【００３０】
本発明の一実施形態において、本発明の集成部品のガラスランプ外囲器に封着されるべき部品は電極リード線である。したがって、結果として得られる集成部品はガラス外囲器に封着されるべき集成リード線である。照明装置の電極に用いるための代表的な電極リード線の断面図が図１に簡略に示されている。このリード線は、電源と接続するためのニッケルの撚線外部リード１１と、タングステンの中間リード１５と、ニッケルまたはタングステンの内部リード１３との３部品を有する。製造業者による供給時、中間タングステンリード１５にはソルダーガラスビードが気密封着されている。このガラスビードは、０〜３００℃で約３６.０×１０−７℃−１のＣＴＥを有する、タングステン封着用の透明ソーダ鉛ホウケイ酸ガラスＮＯＮＥＸ（登録商標）でつくることができる。
【００３１】
白熱電球および単純な管状蛍光灯のような従来の照明装置では、中間タングステンリードを包囲するガラスビードは、例えば火炎封着技術を用いてガラスランプ外囲器に直接封着される。しかしながら、前述の理由のため、この技術はフラットパネルランプ、特に電極リード線の封着前に蛍光体コーティングが施されているフラットパネルランプ、に直接適用できない。本発明では、集成部品をフラットパネルランプ外囲器に封着するために、火炎封着はもはや不要である。ソルダーガラスプリフォームがビード付電極リード線のビードを包囲してビードに接合する。封着前軟化温度Ｔｓより高い温度および／または失透性ソルダーガラスが用いられる場合に失透温度より高い温度に加熱されると、ソルダーガラスプリフォームと中間タングステンリード線上のガラスビードの間に気密封着が生じる。本発明の集成部品のビード付電極リード線とソルダーガラスプリフォームとの間の接合は、封着処理後に得られる封着ほど強固かつ気密である必要はない。封着前のソルダーガラスプリフォームとビード付リード線の間の接合は、実際は多孔性で不連続であってもよい。ソルダーガラスプリフォームとリード線のビードとの間のある程度の強さの機械的接合は、リ−ド線とこのリード線に溶接される電極が接合のために動き回らず、よって精確な封着が実現できるという点で、封着方法に便利である。ビード付集成リードをランプ外囲器に封着する前に、通常、不図示の電極鐘がニッケルの内部リードの末端に溶接され、ランプ外囲器の孔を通して挿入される。
【００３２】
図２は、本発明にしたがうビード付電極リード線およびソルダーガラスプリフォーム１９を含む集成部品の断面図を簡略に示す。この図に示されるように、ビード付電極リード線の中間タングステンリード１５を覆うガラスビード１７はソルダーガラスプリフォーム１９に接合されている。ガラスビード１７とソルダーガラスプリフォーム１９の間の接合は多孔性および／または不連続であってもよく、この図に示されるほど密接していなくてもよいことが理解されるであろう。この図に示されるように、本実施形態におけるソルダーガラスプリフォームは、集成部品をランプ外囲器に封着するときに通すべきランプ外囲器の孔に受け入れられるかまたは孔を覆うことができる一様な形状を有する。集成部品をガラス外囲器に封着する前に、ゲッターがランプ外囲器の放電チャネル内に配置され、電極鐘が内部リード線１３の下端に溶接される。その後、電極および内部リード線１３が孔を通って放電チャネルに挿入され、ソルダーガラスプリフォーム１９が孔に受け入れられるか、または孔を覆うように孔の上に置かれる。好ましくは、ソルダーガラスプリフォームの平面図は孔に受け入れられるように孔と同じ形をとるべきであり、ソルダーガラスプリフォームと孔の周の間に実質的な隙間が残らないように孔とほぼ同じ寸法をもつべきである。例として、説明のためだけに、孔が円形である場合、ソルダーガラスプリフォームは円筒形であることが有利である。あるいは、上にソルダーガラスプリフォームを置いたときに孔を覆うことができるように、ソルダーガラスプリフォームが孔より大きい寸法を有することもできる。ソルダーガラスプリフォームに局所加熱が施され、ソルダーガラスが封着前軟化温度Ｔｓより高い温度に加熱された後に、孔全体が気密封着される。
【００３３】
図３は、ビード付リード線とソルダーガラスプリフォームとを有する本発明の別の集成部品の断面図を簡略に示すものである。この図では、中間リード１５を覆うガラスビード１７が、シングル段差構造を有するソルダーガラスプリフォーム２１に接合されている。シングル段差構造は断面寸法が異なる２つの一体化された部分Ｐ１とＰ２から構成され、Ｐ２がＰ１より大きい。Ｐ１は、ビード付リードを封着および固定すべきときに通す孔に受け入れられる形状と寸法を有することが有利である。しかし、Ｐ２の寸法と形状は、Ｐ１が孔に挿入されたときにＰ２が孔の周を覆うことができるように選択されるべきである。図３は、本発明のビード付リード線とソルダーガラスプリフォームとの集成部品の好ましい構成例である。図２の構成と比較すると、図３のシングル段差構造は封着方法中の孔の周に対する電極リード線の動きを小さくするかまたは防止し、よって電極リード線をより精確に孔の中心に封着できる。図２の実施形態が使用されるときに生じうる、リード線が中心から外れた封着により、ガラス外囲器にクラックおよび／またはグロスリークを生じることがあることが分かっている。
【００３４】
本発明の別の実施形態において、集成部品のガラス外囲器に封着されるべき部品は、Ｃ１±１０×１０−７℃−１の範囲のＣＴＥ Ｃ３を有するホウケイ酸ガラス管状部である。図４および５は本実施形態の断面図を示し、ここで、参照数字２３はガラス管状部の断面図を表す。この管状部はランプ外囲器の排気管状部として機能することもできる。同様に、本実施形態に適した２つのソルダーガラスプリフォーム構成が考えられ、それぞれが図４および５に示されている。図４のソルダーガラスプリフォーム１９は、管状部を封着および固定すべきときに通すガラス外囲器の孔に受け入れられるかまたはこの孔を覆うことができる一様な形状と寸法を有する。図５のソルダーガラスプリフォーム２１は図３とほぼ同じシングル段差構造を有する。同様に、図５の構成は部品が管状部である場合の本発明の好ましい実施形態である。図４の構成と比較すると、図５のシングル段差構造は、ソルダーガラスプリフォームが軟化するときに、封着方法中の孔の周に対する管状部の動きを小さくするかまたは防止し、よって管状部をより精確に封着できる。ランプ外囲器に封着されるべき管状部が排気管状部である場合、管状部は通常、電極リード線を封着および固定するための孔とは別個の孔に封着される。ゲッターを放電チャネル内部に配置後、電極リード線および排気管状部をすべて気密封着し、排気管状部を通してチャネルを排気し、水銀と不活性ガスをチャネルに加え、火炎加熱または他の加熱手段を用いて排気管状部を圧潰することにより、重要かつ敏感なランプ部品を実質的に加熱することなく完成放電ランプ構成を得ることもできる。排気管状部は基本的にソルダーガラスプリフォームよりもランプ部品から遠くにあるので、注意を払えば、ランプ外囲器を損壊または変形させることなく、火炎封着を使って排気管状部を圧潰させることができる。火炎封着も使用されるが、本発明では火炎封着がガラス外囲器に直接に適用されることはない。
【００３５】
図４および５に示される管状部は、排気管状部として使用されるだけでなく、電極をガラス外囲器に封着するために使用することもできる。図６および７は、ホウケイ酸ガラス管状部と、ソルダーガラスプリフォームと、ビード付電極リード線とを含む集成部品の２通りの構成の断面図を簡略に示す。同様に、図７の構成はシングル段差構造を特徴とするソルダーガラスプリフォームを有し、本発明の好ましい実施形態を表す。図６の構成と比較すると、図７のシングル段差構造では、封着方法中の管状部を封着すべきときに通す孔の周に対する管状部２３の動きを小さくするかまたは防止し、よって、より精確な管状部の封着を達成することができる。
【００３６】
図６および７に示される集成部品では、ガラスランプ外囲器に封着されるべき管状部にビード付電極リード線が挿入され、その後、管状部が封着される。ガラスビード１７は、ガラスランプ外囲器へ管状部を封着する前に、例えば火炎封着方法によって、管状部２３に気密に封着しておいてもよい。この場合、管状部２３がガラスランプ外囲器に気密封着されるときにビード付電極リード線の気密封着が達成される。あるいは、管状部がガラスランプ外囲器に気密封着される前に、ビード付電極リード線を、管状部２３との間で気密封着せずに管状部２３に挿入してもよい。ソルダーガラスプリフォーム１９および２１を局所加熱することによって管状部をランプ外囲器に封着した後、後加熱することによってガラスビード１７と管状部１３との間の気密封着することができる。同じく、火炎封着位置とランプ外囲器の重要かつ敏感な部品との間の距離が離れている場合には、注意を払えば、火炎封着を用いることができる。
【００３７】
当業者には、ソルダーガラスプリフォームのさまざまな作成方法が知られている。ガラス質ソルダーガラスおよび失透性ソルダーガラスは、いずれも、特定の用途の要求を満たすように設計されたさまざまな粒子分布の粉末形態で入手可能である。ガラス質ソルダーガラスをロッドに形成して封着枠に作成することが可能である。しかし、失透性ソルダーガラスは、再延伸方法中に結晶化する傾向があるため、封着枠用のロッドに形成することはできない。いずれのタイプのソルダーガラスについても、例えば管状部の封着に用いるためのさまざまな所望の形状および構造の封着用カラーを形成するために、有機結合剤の使用にかかわらずに、乾式プレスで成形することができる。あるいは、いずれのソルダーガラスも、押出成形および焼結によって所望の形状および構造の封着ストリップを形成できる。ビード付リード線および管状部などのランプ部品を受け入れるための孔は、乾式プレスおよび／または押出方法中に直接的に形成することもできるし、あるいは乾式プレスおよび／または押出し方法後に形成することもできる。その後、部品が孔に挿入されて、本発明の部品−ソルダーガラスプリフォーム集成部品が形成される。以降の方法の便宜のために、部品とソルダーガラスの間にはある程度の強さの機械的接合が望ましく、これはソルダーガラスの封着前軟化温度Ｔｓより低い温度で集成部品全体を焼結することによって達成される。プリフォームの形成時にソルダーガラスに有機結合剤が添加される場合、封着後に有害な有機不純物がランプ外囲器の放電チャネルに入り込まないようにするため、焼結の温度および時間はプリフォームから有機結合剤を実質的に除去するのに十分なものでなくてはならない。例えば、本発明の好ましい実施形態では、最初に、少量のエタノールが添加された失透性ソルダーガラス粉末が円筒および上述のシングル段差形状などの所望形状にプレス成形される。その後、プリフォームに孔が形成され、この孔にビード付電極リード線またはガラス管状部が挿入される。続いてソルダーガラスプリフォームの焼結が行われ、これによってエタノールが除去され、ソルダーガラスプリフォームと部品の間の接合が達成される。このようにして作成された本発明の集成部品は、いつでもガラスランプ外囲器と封着できる。特に一体構造のガラス外囲器の場合、蛍光体コーティングが施され、放電チャネル内にゲッターが配置された後に、本発明の集成部品がランプ外囲器へ封着されるのが一般的である。集成部品をランプ外囲器に封着する前に、電極鐘等などの付加的なランプ部品がビード付電極リードの内部リードの末端に溶接される。
【００３８】
上述したように、フラットパネルランプ外囲器、特に蛍光体コーティングが既に施されているフラットパネルランプ外囲器の場合、蛍光体コーティング、ゲッターなど、熱に敏感な部品の損壊および／またはランプ外囲器自体の変形を回避するためには、ランプ外囲器への電極リードおよび排気管状部の封着に局所加熱を使用することが望ましい。本発明の部品−ソルダーガラスプリフォーム集成部品により、部品の封着に局所加熱を用いることが可能になる。ガラス外囲器に集成部品を封着するとき、局所加熱源は主にソルダーガラスプリフォームに適用される。必要があればプリフォームに任意に圧力がかけられる。短時間のうちに封着温度より高い温度にソルダーガラスの温度が上昇させられ、ソルダーガラスが軟化し、状況に応じて流動し、および／または、失透性ソルダーガラスが用いられる場合には失透して、部品とガラスランプ外囲器の間に気密封着を形成することが好ましい。蛍光体コーティング、ゲッター等といった近傍のランプ部品に対する過剰な熱伝達を回避するため、封着時間が５分以内、好ましくは３分以内、さらに好ましくは１分以内、最も好ましくは数秒以内にコントロールされることが好ましい。ランプ外囲器の残り部分を遮蔽して、封着に用いられる熱源によるランプ外囲器の残り部分の過剰な加熱を防止するために、必要に応じて、遮蔽板、反射板および／または熱吸収カバー材料を用いることもできる。気密封着がなされると、加熱源が集成部品から取り外されて、封着済ガラス外囲器は室温まで徐冷される。ソルダーガラスは冷却過程中に硬化して、強固で気密な封着を形成する。
【００３９】
集成部品のランプ外囲器への封着方法中は、封着されているガラス外囲器とソルダーガラスプリフォームとの間の温度差を小さくすることが望ましい。封着温度がランプ外囲器の基板の温度より高すぎると、封着方法中にクラックが生じる危険がある。したがって、ランプ外囲器を予備加熱してから集成部品をランプ外囲器に封着することが望ましい。予備加熱はオーブン内で行われ、ランプ外囲器に施された蛍光体コーティングを含むランプ外囲器を、蛍光体コーティングに安全な高温にすることが有利である。三波長域発光形希土類蛍光体コーティングを用いるランプの場合、蛍光体コーティングを害することなく封着温度と基板温度の間で最小の温度差が得られるように、上記温度は６００℃以下、好ましくは約５００〜５８５℃とすべきである。ホウケイ酸ガラスの膨張が比較的小さいことは、本方法中にガラス基板の封着部にクラックが生じる可能性が小さくなるという利点を表す。封着およびその後の徐冷方法には温度プロファイルがプログラムされたオーブンを使用できることが有利である。
【実施例】
【００４０】
以下の実施例により本発明をさらに説明する。以下の実施例は説明のためだけに記載されるものであり、特許請求される本発明を限定する意味を何ら持たないことを理解すべきである。
【００４１】
この実施例では、図２に示されるようなビード付電極リード−ソルダーガラスプリフォーム集成部品を作成し、一体型ホウケイ酸ガラスフラットパネルランプ外囲器に封着した。
【００４２】
本実施例では、０〜３００℃で３５×１０−７℃−１の概ＣＴＥ、６３２℃の概封着前軟化点および６７０℃の概失透温度Ｔｄを有する、米国オハイオ州トレド（Ｔｏｌｅｄｏ）のＳＥＭ-ＣＯＭ Ｃｏｍｐａｎｙの製品名ＳＣＣ-７という失透性ソルダーガラス粉末を使用した。図１に示されるようなビード付リードを使って集成部品を形成した。リードは、ニッケル撚線外部リード１１と、ＮＯＮＥＸが気密封着されているタングステン中間リード１５と、ニッケル内部リード１３とを有していた。ビード付リード線は米国ペンシルバニア州ハンティントンのＴｈｅ Ｆｒｅｄｅｒｉｃｋｓ Ｃｏｍｐａｎｙから市販されている。
【００４３】
ソルダーガラス粉末１.０グラムを一滴のエタノールと混合し、プレスダイに充填し、円板形にプレスして、直径１２.８ｍｍ、厚さ３.２ｍｍの円筒型のプリフォーム生地を作成した。このプリフォームを５９０℃で３０分間予備焼結した。その後、図１に示されるリード線のビード１７を取り付けるのにちょうど十分な大きさの孔を円板中心に設けた。その後、ビード付リード線を孔に挿入し、ビード１７が円板内の中央にくるように配置した。その後、このようにしてえられた集成部品を６２０℃で０．５時間焼結して、ビード１７を円板に接合したが、緊密で気密な封着は形成されなかった。その後、電極を内部リード１３に溶接した。かくして電極−ソルダーガラスプリフォーム集成部品が完成した。
【００４４】
この実施例に用いたガラスランプ外囲器は特許文献１に記載された方法を用いて作成され一体型構造を有していた。三波長域発光形希土類蛍光体コーティングをランプ外囲器の放電チャネルの内壁に施した。ランプ外囲器のガラスは、バッチ材料から計算される酸化物基準の重量で、７７.４％のＳｉＯ２、１５.４％のＢ２Ｏ３、１.９％のＡｌ２Ｏ３および５.３％のＮａ２Ｏから実質的になる組成を有し、０〜３００℃でほぼ３８×１０−７℃−１のＣＴＥを有していた。半径約６ｍｍの３つの孔を設け、電極および／または管状部で封止した。集成電極を封着する前にランプ外囲器をオーブンに入れ、約５８０℃に予備加熱した。
【００４５】
上で作成した電極−ソルダーガラスプリフォーム集成部品を、ゲッターを放電チャネル内に入れた後に、予備加熱したランプ外囲器の孔の１つに挿入した。リード線が孔の中心に位置する状態で、ソルダーガラスプリフォームを孔の上に置いた。ソルダーガラスに赤外線を照射し、プリフォームを５分以内に約８００〜９００℃まで加熱した。ソルダーガラスプリフォームは軟化し、この結果失透し、気密封着を得た。その後、ランプ外囲器を室温まで徐冷した。その後の検査により、封着が気密であり、蛍光体コーティングおよびゲッターが封着によって損なわれていないことが示された。ランプ外囲器にクラックは認められなかった。
【００４６】
当業者には、本発明の範囲および精神から逸脱せずに本発明に対してさまざまな変更および変形を施せることが分かるであろうしたがって、本発明の変更および変形が添付特許請求項またはそれらの等価物の範囲内に入れば、そのような変更および変形は本発明に包含されるものとする。
【図面の簡単な説明】
【００４７】
【図１】外部リードと、内部リードと、ソルダーガラスビードが気密封止されている中間リードとから成るビード付電極リード線の略断面図である。
【図２】ビード付電極リード線と、集成部品を封着および固定するときに通すべきランプ外囲器の孔に受け入れられるかまたは孔を覆うことができる一様な形状を有するソルダーガラスプリフォームとからなる本発明の集成部品の略断面図である。
【図３】ビード付電極リード線と、一体化された２つの部分Ｐ１およびＰ２を有するシングル段差構造を備えたソルダーガラスプリフォームとを含み、Ｐ１は集成部品を封着および固定するときに通すべき孔より小さく、この孔に受け入れられることができ、Ｐ２はこの孔より大きく、Ｐ１が孔に挿入されて受け入れられたときに孔を覆うことができる、本発明の集成部品の略断面図である。
【図４】管状部と、集成部品を封着および固定するときに通すべきランプ外囲器の孔に受け入れられるかまたは孔を覆うことができる形状を有するソルダーガラスプリフォームとを含む本発明の集成部品の略断面図である。
【図５】管状部と、一体化された２つの部分Ｐ１およびＰ２を有するシングル段差構造を備えたソルダーガラスプリフォームとを含み、Ｐ１は集成部品を封着および固定するときに通すべき孔より小さく、この孔に受け入れられることができ、Ｐ２はこの孔より大きく、Ｐ１が孔に挿入されて受け入れられたときに孔を覆うことができる、本発明の集成部品の略断面図である。
【図６】管状部と、集成部品を封着および固定するときに通すべきランプ外囲器の孔に受け入れられるかまたは孔を覆うことができる形状を有するソルダーガラスプリフォームとを含み、ビード付リード線が管状部に挿入および配置されている、本発明の集成部品の略断面図である。
【図７】管状部と、一体化された２つの部分Ｐ１およびＰ２を有するシングル段差構造を備えるソルダーガラスプリフォームとを含み、Ｐ１は、集成部品を封着および固定するときに通すべき孔より小さく、この孔に受け入れられることができ、Ｐ２は孔より大きく、Ｐ１が孔に挿入されて受け入れられたときに孔を覆うことができ、ビード付リード線が管状部に挿入されて配置されている、本発明の集成部品の略断面図である。
【符号の説明】
【００４８】
１１    外部リード
１３    内部リード
１５    中間リード
１７    ガラスビード
２１    ソルダーガラスプリフォーム
【図１】
2006513531.tif 000003
【図２】
2006513531.tif 000004
【図３】
2006513531.tif 000005
【図４】
2006513531.tif 000006
【図５】
2006513531.tif 000007
【図６】
2006513531.tif 000008
【図７】
2006513531.tif 000009
【国際調査報告】
2006513531.tif 000010
2006513531.tif 000011
2006513531.tif 000012